(57)【特許請求の範囲】
【請求項１】
車輪と取付軸とを有するキャスタと、
前記キャスタの取付位置に取付穴を穿設し筒状で開口部を有する角パイプと、
前記角パイプの前記開口部に取り付くキャスタ固定用アダプタと
を備えるベッドであって、
前記キャスタ固定用アダプタは、
前記取付軸を固定する固定穴と、
前記開口部を塞ぎ、前記固定穴の前記角パイプの長手方向の位置決めをするエンドキャップと、
前記角パイプの内面をガイドし、前記固定穴の上下方向及び左右方向の少なくとも何れか一方の位置決めをするガイド機構と、を有し、
前記ガイド機構は、
前記キャスタ固定用アダプタの側面の上端の一部であり前記上下方向の位置決めをする第１突起部と、
前記キャスタ固定用アダプタの前記側面に形成された屈曲部を有する突起部であり前記左右方向の位置決めをする第２突起部と、
の少なくとも何れか一つを有するベッド。
【請求項２】
前記突起部は、角部が円弧形状を呈することを特徴とする請求項１に記載のベッド。
【請求項３】
前記取付軸は雄ネジ部を有し、
前記固定穴は雌ネジ部を有し、
前記雄ネジ部と前記雌ネジ部とが螺合して、前記キャスタを固定することを特徴とする請求項１または２のいずれか一項に記載のベッド。
【発明の詳細な説明】
【技術分野】
【０００１】
本発明は、脚部にキャスタの取付けが行えるベッドに関するものである。
【背景技術】
【０００２】
従来技術のベッドとして、車輪と取付軸とを備えたキャスタ本体と、キャスタ本体取付部と、脚部に取り付けるための取付ボックスとを備えた脚部のキャスタ構造が知られている。このベッドは、水平に伸びた筒状開口脚部に該取付ボックスを嵌合して該脚部に穿設された取付穴と該取付ボックスに穿設された固定穴の位置を合わせ、該脚部外側から該取付ボックス内側に対してネジを挿入して該脚部と該取付ボックスとをネジ止めすることにより、該キャスタ本体を該脚部に対して取付け可能とするものである（例えば、特許文献１）。
【先行技術文献】
【特許文献】
【０００３】
【特許文献１】特開平９−２４０２０４号公報
【発明の概要】
【発明が解決しようとする課題】
【０００４】
しかしながら、特許文献１においては、キャスタ取付前には、脚部の開口部がむき出しになってしまう。このため、むき出しでは意匠性が良くない状態となってしまい、使用者が当たった場合等において怪我を防止する対策が必要になる。
【０００５】
また、脚部が一般流通の角パイプである場合には、角パイプの角部のＲ部の精度は他の部分より低いため、Ｒ部を避けて角パイプに取付ボックスを嵌合すると、角パイプと取付ボックスとの間のクリアランスは大きくなる。そのため、角パイプに穿設された取付穴の位置と取付ボックスに穿設された固定穴の位置とにずれが生じ、取付穴と固定穴との位置合わせに手間と時間を要する問題がある。
【０００６】
そこで、本発明は上記問題点に鑑みて成されたものであり、非キャスタ取付時にも意匠性と安全性とを有すること、また、取付穴と固定穴との位置ずれを抑制しキャスタ取付が容易なベッドを提供することを目的とする。
【課題を解決するための手段】
【０００７】
本発明の課題解決手段は、車輪と取付軸とを有するキャスタと、前記キャスタの取付位置に取付穴を穿設し筒状で開口部を有する角パイプと、前記角パイプの前記開口部に取り付くキャスタ固定用アダプタとを備えるベッドであって、前記キャスタ固定用アダプタは、前記取付軸を固定する固定穴と、前記開口部を塞ぎ、前記固定穴の前記角パイプの長手方向の位置決めをするエンドキャップと、前記角パイプの内面をガイドし、前記固定穴の上下方向及び左右方向の少なくとも何れか一方の位置決めをするガイド機構と、を有し、前記ガイド機構は、前記キャスタ固定用アダプタの側面の上端の一部であり前記上下方向の位置決めをする第１突起部と、前記キャスタ固定用アダプタの前記側面に形成された屈曲部を有する突起部であり前記左右方向の位置決めをする第２突起部と、の少なくとも何れか一つを有する構成とした。
【０００９】
また、前記突起部は、角部が円弧形状を呈する構成とすると良い。
【００１０】
また、前記取付軸は雄ネジ部を有し、前記固定穴は雌ネジ部を有し、前記雄ネジ部と前記雌ネジ部とが螺合して、前記キャスタを固定する構成であると良い。
【発明の効果】
【００１１】
本発明のベッドでは、キャスタ固定用アダプタがエンドキャップを備えることから、非キャスタ取付時にも角パイプの開口部を塞ぎ、安全性と意匠性が得られる。更に、キャスタ固定用アダプタは、エンドキャップが角パイプの開口部に取り付くことで、固定穴の角パイプの長手方向の位置決めをし、ガイド機構が角パイプの内面をガイドすることで固定穴の上下方向及び左右方向の少なくとも何れか一方の位置決めをする。よって取付穴と固定穴との位置ずれを抑制でき、キャスタの取付けが容易になる。
【００１２】
また、ガイド機構をキャスタ固定用アダプタの側面を屈曲して形成した突起部とすることで、部品点数を増やさずに容易に加工することができる。
【００１３】
また、突起部の角部は円弧形状を呈するため、キャスタ固定用アダプタを角パイプの開口部に取り付ける際、突起部は円滑に角パイプの内面をガイドすることができる。
【００１４】
また、取付軸の雄ネジ部と固定穴の雌ネジ部とを螺合してキャスタを固定することで、部品点数を増やさずに容易にキャスタを着脱することができる。
【図面の簡単な説明】
【００１５】
【図１】本発明のベッドの斜視図である。
【図２】図１に示すベッドの脚部の組立図である。
【図３】図２に示すキャスタ固定用アダプタの斜視図である。
【図４】図３に示すキャスタ固定用アダプタを角パイプの開口部に取り付けた状態のＡ−Ａ断面図である。
【発明を実施するための形態】
【００１６】
以下に、本発明の実施形態を図１〜図４に基づいて、詳細に説明する。
【００１７】
図１は、本発明のベッド１の斜視図である。ベッド１は、脚部２と、ヘッドボード３と、フットボード４と、昇降可能な床板５とから構成される。脚部２は、角パイプ１０と、角パイプ１０に取り付くキャスタ２０と、角パイプ１０に取り付くキャスタ固定用アダプタ３０と、を備えている。
【００１８】
図２は、本発明のベッド１の脚部２の組立図である。角パイプ１０は、金属製で、一般に流通している汎用品で、筒状で開口部１１を有している。キャスタ２０が取り付く位置には、取付穴１２が穿設されている。キャスタ２０は、車輪２１と取付軸２２とを備えた汎用のキャスタで、取付軸２２には雄ネジ部２３が形成されている。キャスタ固定用アダプタ３０は、雌ネジ部３１が形成され雄ネジ部２３と螺合するネジ穴３２（固定穴）と、開口部１１を塞ぎネジ穴３２の角パイプ１０の長手方向の位置決めをするエンドキャップ３１と、角パイプ１０の内面１３でガイドし、ネジ穴３２の上下方向の位置決めをする第１突起部３４（ガイド機構）と、ネジ穴３２の左右方向の位置決めをする第２突起部３５（ガイド機構）と、を備える。
【００１９】
図３は、本発明のキャスタ固定用アダプタ３０の斜視図である。第２突起部３５は、キャスタ固定用アダプタ３０の側面３６を角パイプ１０の内面１３でガイドするように左右に屈曲して形成される。第１突起部３４の角部３７、第２突起部３５の角部３８は、円弧形状を呈している。ネジ穴３２は、キャスタ固定用アダプタ３０の底面に固定された金属の筒状体で、内部は雌ネジ部３１が形成され、雄ネジ部２３と螺合して、キャスタ２０の取付軸２２を固定する。尚、ネジ穴３２は、筒状体の内部に雌ネジ部３１を形成する構成だが、バーリング加工により雌ネジ部を形成してもよい。
【００２０】
図４は、キャスタ固定用アダプタ３０を角パイプ１０の開口部１１に取り付けた状態のＡ−Ａ断面図である。第１突起部３４は、角パイプ１０の上方のＲ部を避けて、内面１３の上面と所定の隙間を持って、ネジ穴３２の上下方向の位置決めをする。第２突起部３５も同様に、角パイプ１０のＲ部を避けて、内面１３の右側面、左側面と所定の隙間をもって、ネジ穴３２の左右方向の位置決めをする。ネジ穴３２は、第１突起部３４、第２突起部３５、及びエンドキャップ３１によって、取付穴１２と同軸に位置する。
【００２１】
以下、上記構成におけるキャスタ固定用アダプタ３０の角パイプ１０への取付け、及びキャスタ２０の取付けについて説明する。まず、角パイプ１０の開口部１１からキャスタ固定用アダプタ３０を挿入する。キャスタ固定用アダプタ３０は、ネジ穴３２を設けた面を底面にする。キャスタ固定用アダプタ３０は、第１突起部３４、第２突起部３５でガイドされながら、エンドキャップ３３が角パイプ１０の開口部１１と当接するまで、角パイプ１０の内面１３を長手方向に挿入される。
【００２２】
そしてエンドキャップ３３と開口部１１とが当接した状態で、角パイプ１０の下方から上方に向かってキャスタ２０の取付軸２２を取付穴１２に挿入する。このとき取付穴１２とネジ穴３２とは同軸上にある。取付軸を回転して、雄ネジ部２３と雌ネジ部３１とを螺合して、キャスタ２０を固定する。
【００２３】
以下、本発明における効果について説明する。
【００２４】
ベッド１では、キャスタ固定用アダプタ３０がエンドキャップ３３を備えていることから、キャスタ取付前（非キャスタ取付）の時にも角パイプ１０の開口部１１を塞ぎ、安全性と意匠性が得られる。更に、キャスタ固定用アダプタ３０は、エンドキャップ３３が角パイプ１０の開口部１１に取り付くことで、ネジ穴３２の角パイプ１０の長手方向の位置決めをし、第１突起部３４、第２突起部３５が角パイプ１０の内面１３でガイドされることでネジ穴３２の上下方向及び左右方向の位置決めがされる。よって取付穴１２とネジ穴３２との位置ずれを抑制でき、キャスタ２０の取付けが容易になる。
【００２５】
また、第２突起部３５をキャスタ固定用アダプタ３０の側面３６を屈曲して形成することで、部品点数を増やさずに容易に加工することができる。
【００２６】
また、第１突起部３４、第２突起部３５の角部３７、３８は、円弧形状を呈するため、キャスタ固定用アダプタ３０を角パイプ１０の開口部１１に取り付ける際、円滑に角パイプ１０の内面１３にガイドされる。
【００２７】
また、取付軸２２の雄ネジ部２３とネジ穴３２の雌ネジ部３１とを螺合してキャスタ２０を固定する構造とすることで、部品点数を増やさずに容易にキャスタ２０の着脱が可能になる。
【符号の説明】
【００２８】
１  ベッド
１０  角パイプ
１１  開口部
１２  取付穴
２０  キャスタ
２１  車輪
２２  取付軸
２３  雄ネジ部
３０  キャスタ固定用アダプタ
３１  雌ネジ部
３２  ネジ穴（固定穴）
３３  エンドキャップ
３４  第１突起部（ガイド機構）
３５  第２突起部（ガイド機構）
【図１】
0005853535.tif 000002
【図２】
0005853535.tif 000003
【図３】
0005853535.tif 000004
【図４】
0005853535.tif 000005